(57)【要約】【課題】本発明は、全身性エリテマトーデスの予防・治療装置や、全身性エリテマトーデスのバイオマーカーとして使用する方法や、全身性エリテマトーデスの判定方法を提供することを目的とする。【解決手段】全身性エリテマトーデスの予防・治療については、Ｈｓｐ９０の除去物質を用いて、被検体の血液中、血清中又は血漿中のＨｓｐ９０濃度を低下させることを特徴とする。また、全身性エリテマトーデスのバイオマーカーとして使用する方法については、被検体の血液中、血清中又は血漿中のＨｓｐ９０をそのバイオマーカーとすることを特徴とする。また、全身性エリテマトーデスの判定方法については、被検体の血液中、血清中又は血漿中のＨｓｐ９０濃度を、正常対照のそれと比較・評価することを特徴とする。
2012077774.tif 000002
【特許請求の範囲】
【請求項１】
Ｈｓｐ９０の除去手段を備えたことを特徴とする全身性エリテマトーデスの予防・治療装置。
【請求項２】
Ｈｓｐ９０の除去手段が、Ｈｓｐ９０の除去物質を含むことを特徴とする請求項１に記載の予防・治療装置。
【請求項３】
Ｈｓｐ９０の除去物質が、固相担体に担持されていることを特徴とする請求項１又は２に記載の予防・治療装置。
【請求項４】
血液中、血清中又は血漿中のＨｓｐ９０を、全身性エリテマトーデスのバイオマーカーとして使用する方法。
【請求項５】
以下の（Ａ）及び（Ｂ）の工程を備えることを特徴とする全身性エリテマトーデスの判定方法；
（Ａ）被検体の血液中、血清中又は血漿中のＨｓｐ９０濃度をインビトロで測定する工程；
（Ｂ）前記工程（Ａ）で測定したＨｓｐ９０濃度を、正常対照の血液中、血清中又は血漿中のＨｓｐ９０濃度と比較・評価する工程；
【請求項６】
以下の（Ｃ）又は（Ｄ）の工程をさらに備えることを特徴とする請求項５に記載の判定方法；
（Ｃ）前記工程（Ａ）で測定したＨｓｐ９０濃度が、正常対照の血液中、血清中又は血漿中のＨｓｐ９０濃度よりも高い場合に、前記被検体を全身性エリテマトーデスと評価する工程；
（Ｄ）前記工程（Ａ）で測定したＨｓｐ９０濃度が、正常対照の血液中、血清中又は血漿中のＨｓｐ９０濃度よりも高い程度を、前記被検体の全身性エリテマトーデスの病状の重さの程度と評価する工程；
【発明の詳細な説明】
【技術分野】
【０００１】
本発明は、全身性エリテマトーデスの予防・治療装置や、全身性エリテマトーデスのバイオマーカーとして使用する方法や、全身性エリテマトーデスの判定方法に関する。
【背景技術】
【０００２】
全身性エリテマトーデス（systemic lupus erythematosus；ＳＬＥ）（以下、単に「ＳＬＥ」とも表示する。）は、抗核抗体または抗ＤＮＡ抗体やその免疫複合体が各種臓器・組織に沈着することにより炎症反応が誘導されて生ずる全身性の自己免疫疾患である。臨床症状は多様で、発熱、貧血、血小板減少、顔面蝶形紅斑、紅斑様発疹、多関節痛、漿膜炎、腎症状、神経症状、心症状などが見られる。【０００３】
ＳＬＥの原因の詳細は未だ明らかではないが、遺伝的要因に加えて、紫外線、ウイルス感染、外傷、手術、妊娠、出産、薬剤処置等の環境要因が関与することにより発症すると考えられている。また、ＳＬＥにおいては、血清中のインターフェロンα高値が病態増悪の要因の一つと考えられている。【０００４】
ＳＬＥの診断は、［１］ほおの蝶形紅斑、［２］それ以外の部位に生じる特徴的な発疹、［３］日光に対する過敏性、［４］口の中の潰瘍、［５］関節炎、［６］肺、心臓、その他の器官の周囲に水がたまる（漿膜炎）、［７］腎臓の機能不全、［８］白血球数の減少、溶血性貧血による赤血球数の減少、血小板数の減少、［９］脳や神経の機能不全、［１０］血液検査で抗核抗体反応が陽性、［１１］血液検査で抗２本鎖ＤＮＡ抗体が陽性、の１１項目のうち、４項目以上に該当することを確認することにより行われる。しかし、これらの診断項目の中には、重度の症状のものも含まれているので、より充実した早期診断を可能にするためにも、新たな診断項目が求められていた。【０００５】
また、ＳＬＥの治療は、症状が軽度な場合はアスピリン等の非ステロイド性抗炎症薬が用いられ、症状が重度の場合は、現在も、プレドニゾロン等の副腎皮質ステロイド薬が主に用いられている。副腎皮質ステロイド薬は、抗炎症作用と免疫抑制作用を有しているため、ＳＬＥによる臓器病変の炎症を改善させると共に、自己抗体の産生や自己反応性リンパ球の働きを抑制することにより、ＳＬＥに対する治療効果を発揮すると考えられている。しかし、副腎皮質ステロイド薬は、ヒトの感染防御機能をも低下させてしまう他、高血圧、心不全、糖尿病、消化性潰瘍、腎不全、骨粗しょう症などを悪化させてしまう場合があるため、その使用には十分な注意が必要である。また、副腎皮質ステロイド薬を長期にわたり、静脈注射や内服により使用すると、高血圧、血糖値上昇、白内障、骨粗しょう症、胃出血等の副作用が生じるという問題もある。そこで、副腎皮質ステロイド薬以外のＳＬＥ治療剤の開発が行われている。例えば、特許文献１には、ＰＤＥ４ファミリーの酵素の阻害能力を有する、アデニンの２位と９位および場合によりＮ(６)位が置換されているアデニン由来化合物が、ＳＬＥの治療に用いうることが開示されている。しかし、かかる化合物は、副腎皮質ステロイド薬と併用することを前提としている。このような状況下、副作用の問題のより少ない、ＳＬＥの新たな治療方法が求められていた。【０００６】
また、ヒートショックプロテイン（ＨＳＰ）は、熱ショックにより発現が増加する細胞内タンパク質で、熱以外の放射線・低栄養などのストレスにも反応し増加することが知られている。ヒートショックプロテインの機能としては、細胞内でさまざまなタンパク質と複合体を形成し、そのタンパク質を安定化させ正常に機能させる分子シャペロンとしての機能があり、特にヒートショックプロテイン９０（Ｈｓｐ９０）のクライアントタンパク質にはプロテインキナーゼやステロイドホルモン受容体などの細胞増殖や分化に重要な役割を果たすシグナル伝達分子が多いことが知られている。また、ヒートショックプロテインは、ペプチドと複合体を形成し、ストレスに曝露されると腫瘍細胞や感染細胞から細胞外に放出されて、免疫応答に寄与していることも知られている。【０００７】
また、非特許文献１には、Ｈｓｐ９０がインターフェロンγやインターフェロンαを活性化することや、Ｈｓｐ９０の阻害物質であるゲルダナマイシンにより、インターフェロンγやインターフェロンαの抗ウイルス効果が抑制されることが記載されている。また、特許文献２には、Ｈｓｐ９０が腫瘍壊死因子α（Tumor Necrosis Factor α：ＴＮＦα）とインターロイキン６（ＩＬ−６）を活性化することが記載されており、そのクレーム２１には、Ｈｓｐ９０阻害物質を全身性エリテマトーデス（ＳＬＥ）等の患者に投与することにより、ＴＮＦα及びＩＬ−６を低下させる方法が記載されている。また、本発明者らによる非特許文献２には、Ｈｓｐ９０は自己のＤＮＡと複合体（Ｈｓｐ９０−自己ＤＮＡ複合体）を形成することで、自己ＤＮＡの分解を抑制し、かつ、自己ＤＮＡをヒト形質細胞様樹状細胞に効率よく取り込ませ、その自己ＤＮＡを形質細胞様樹状細胞の初期エンドソームに局在させることで、ヒト形質細胞様樹状細胞のインターフェロンα産生を促進することが示唆されている。さらに、非特許文献３には、ＳＬＥ患者における末梢血単核球中で、Ｈｓｐ９０の発現が増加しているという記載がなされている。しかし、Ｈｓｐ９０は分泌タンパク質ではないため、ＳＬＥ患者の血清中でその濃度が著しく上昇していることは予想されておらず、また、知られてもいなかった。
【先行技術文献】
【特許文献】
【０００８】
【特許文献１】特表２００９−５２９０２３号公報
【特許文献２】国際公開第２００７／０７７４５４号パンフレット
【非特許文献】
【０００９】
【非特許文献１】J. Biol. Chem., 2006; 281: 1876-1884
【非特許文献２】J. Immunology, June 2010; 184: 7092-7099
【非特許文献３】J Autoimmun 2001; 17: 341-6
【発明の概要】
【発明が解決しようとする課題】
【００１０】
本発明の課題は、全身性エリテマトーデスの予防・治療装置や、全身性エリテマトーデスのバイオマーカーとして使用する方法や、全身性エリテマトーデスの判定方法を提供することにある。
【課題を解決するための手段】
【００１１】
本発明者らは、以前から、ＳＬＥとＨｓｐ９０との関連について研究を行っており、Ｈｓｐ９０阻害物質が、形質細胞様樹状細胞からのインターフェロンα産生を阻害することや、ＳＬＥの予防・治療効果を発揮することを見いだしている（特願２０１０−２１９４２２号）。本発明者らは、前述の背景技術に記載したような状況下、鋭意研究を行った結果、［ａ］病状増悪期のＳＬＥ患者の血清中ではＨｓｐ９０濃度が著しく高くなっていること、［ｂ］治療後寛解期のＳＬＥ患者の血清中ではＨｓｐ９０濃度が健常人の場合と同程度にまで低下していること、及び、［ｃ］ＳＬＥ患者の血清からＨｓｐ９０を除去した血清をヒト形質細胞様樹状細胞に添加し、培養したときの培養液上清中のインターフェロンα濃度が、ＳＬＥ患者の血清をヒト形質細胞様樹状細胞に添加し、培養したときの培養液上清中のインターフェロンα濃度と比較して顕著に低下すること等を見いだし、本発明を完成するに至った。【００１２】
すなわち、本発明は、（１）Ｈｓｐ９０の除去手段を備えたことを特徴とする全身性エリテマトーデスの予防・治療装置や、（２）Ｈｓｐ９０の除去手段が、Ｈｓｐ９０の除去物質を含むことを特徴とする上記（１）に記載の予防・治療装置や、（３）Ｈｓｐ９０の除去物質が、固相担体に担持されていることを特徴とする上記（１）又は（２）に記載の予防・治療装置に関する。【００１３】
また、本発明は、（４）血液中、血清中又は血漿中のＨｓｐ９０を、全身性エリテマトーデスのバイオマーカーとして使用する方法に関する。【００１４】
さらに、本発明は、（５）以下の（Ａ）及び（Ｂ）の工程を備えることを特徴とする全身性エリテマトーデスの判定方法；
（Ａ）被検体の血液中、血清中又は血漿中のＨｓｐ９０濃度をインビトロで測定する工程；
（Ｂ）前記工程（Ａ）で測定したＨｓｐ９０濃度を、正常対照の血液中、血清中又は血漿中のＨｓｐ９０濃度と比較・評価する工程；や、
（６）以下の（Ｃ）又は（Ｄ）の工程をさらに備えることを特徴とする上記（５）に記載の判定方法；
（Ｃ）前記工程（Ａ）で測定したＨｓｐ９０濃度が、正常対照の血液中、血清中又は血漿中のＨｓｐ９０濃度よりも高い場合に、前記被検体を全身性エリテマトーデスと評価する工程；
（Ｄ）前記工程（Ａ）で測定したＨｓｐ９０濃度が、正常対照の血液中、血清中又は血漿中のＨｓｐ９０濃度よりも高い程度を、前記被検体の全身性エリテマトーデスの病状の重さの程度と評価する工程；
に関する。
【発明の効果】
【００１５】
本発明によれば、副作用をほとんど伴わずに、全身性エリテマトーデスを予防及び／又は治療することができる。また、本発明によれば、全身性エリテマトーデスの新たなバイオマーカーを提供することができる。さらに、本発明によれば、全身性エリテマトーデスの判定を迅速かつ簡便に行うことができる。
【図面の簡単な説明】
【００１６】
【図１】ＳＬＥ患者又は健常人から採取した血清サンプル中のＨｓｐ９０濃度を示す図である。“healthydonor”は健常人の場合の結果を表し、“SLE patient 1”の“before treatment”は、ＳＬＥ患者１の症状増悪期の場合の結果を表し、“SLEpatient 2”の“before treatment”は、ＳＬＥ患者２の症状増悪期の場合の結果を表し、“SLE patient 1”の“after treatment”は、ＳＬＥ患者１の治療後寛解期の場合の結果を表し、“SLE patient 2”の“after treatment”は、ＳＬＥ患者２の治療後寛解期の場合の結果を表す。
【図２】ＳＬＥ患者又は健常人から採取した血清サンプル中のＨｓｐ９０濃度を示す図である。“healthy donor”は健常人の場合の結果を表し、図中の△印は各人の濃度を示す。“before treatment”は、ＳＬＥ患者の症状増悪期の場合の結果を表し、 図中の○印は各患者の濃度を示す。“after treatment”は、ＳＬＥ患者の治療後寛解期の場合の結果を表し、図中の◇印は各患者の濃度を示す。
【図３】ヒト形質細胞様樹状細胞に、ＳＬＥ患者の血清等を添加し、培養した培養液の上清中のインターフェロンα濃度を示す図である。“control”は、血清を添加しなかった場合の結果を表し、“stimulatedwith SLE patient serum”は、ＳＬＥ患者の血清を添加した場合の結果を表し、“stimulatedwith SLE patient serum removed HSP90”は、前述のＳＬＥ患者の血清からＨｓｐ９０を除去した血清を添加した場合の結果を表す。
【図４】ＳＬＥ発症モデルマウスの血清中Ｈｓｐ９０濃度を示す図である。“MRL/lpr  mice 21w”は発症前の２１週齢の結果を表し、図中の△印は各マウスの濃度を示す。 “MRL/lpr  mice 28w”は、発症初期の２８週齢の結果を表し、 図中の○印は各マウスの濃度を示す。“MRL/lpr  mice 37w”は、発症後期の３７週齢の結果を表し、図中の◇印は各マウスの濃度を示す。
【発明を実施するための形態】
【００１７】
１．全身性エリテマトーデスの予防・治療装置
本発明の「全身性エリテマトーデスの予防・治療装置」（以下、単に「本発明の予防・治療装置」とも表示する。）としては、Ｈｓｐ９０の除去手段（以下、単に「Ｈｓｐ９０除去手段」とも表示する。）を備えている限り特に制限されない。本発明の予防・治療装置によるＳＬＥの予防・治療効果の作用機序の詳細は明らかではないが、かかる本発明の予防・治療装置により、被検体の血液中、血清中又は血漿中のＨｓｐ９０を除去した後、その血液、血清又は血漿を被検体に戻すことによって、被検体の血液中、血清中又は血漿中のＨｓｐ９０濃度を低下させ、それにより、被検体の形質細胞様樹状細胞のインターフェロンα産生の抑制を介して、ＳＬＥに対する予防及び／又は治療効果が発揮されるものと考えられる。
【００１８】
上記のＨｓｐ９０除去手段とは、いずれかの哺乳動物のＨｓｐ９０タンパク質を除去しうる手段を意味し、例えば、Ｈｓｐ９０の除去物質（以下、単に「Ｈｓｐ９０除去物質」とも表示する。）を含む手段を例示することができる。かかるＨｓｐ９０除去物質としては、Ｈｓｐ９０と結合する物質（以下、単に「Ｈｓｐ９０結合物質」とも表示する。）を例示することができ、中でも、Ｈｓｐ９０結合物質を好適に例示することができ、中でも、Ｈｓｐ９０に結合する抗体、タンパク質、ペプチド、核酸（好ましくはＤＮＡ）、低分子化合物をより好適に例示することができ、中でも、Ｈｓｐ９０に特異的に結合する抗体、タンパク質、ペプチド、核酸（好ましくはＤＮＡ）をさらに好適に例示することができ、中でも、Ｈｓｐ９０に対する特異性や結合力がより優れていることなどから、Ｈｓｐ９０に特異的に結合する抗体、ＤＮＡをより好適に例示することができ、中でも、Ｈｓｐ９０に対する特異性や結合力が特に優れていることなどから、Ｈｓｐ９０に特異的に結合する抗体を特に好適に例示することができる。なお、上記のＨｓｐ９０除去物質として、２種類以上を併用してもよい。
【００１９】
前述の「Ｈｓｐ９０結合物質」としては、いずれかの哺乳動物のＨｓｐ９０と結合する物質である限り特に制限されず、かかる結合様式としては、水素結合、静電的結合、ファンデルワールス結合、疎水結合（疎水性相互作用）、共有結合、イオン結合、及び、配位結合から選択される１又は２以上の結合を例示することができ、中でも、水素結合、静電的結合、ファンデルワールス結合、及び、疎水結合から選択される１又は２以上の結合を好適に例示することができる。なお、Ｈｓｐ９０に結合する抗体は、水素結合、静電的結合、ファンデルワールス結合、及び、疎水結合が複合的に関与することによって、Ｈｓｐ９０に結合していると考えられる。
【００２０】
前述のＨｓｐ９０に結合する抗体としては、モノクローナル抗体、ポリクローナル抗体、キメラ抗体、一本鎖抗体、ヒト化抗体等の免疫特異的な抗体を具体的に例示することができるが、中でも、モノクローナル抗体がその特異性の点でより好ましく例示することができる。前述のＨｓｐ９０に結合する抗体は、慣用のプロトコールを用いて、動物（好ましくはヒト以外）に該Ｈｓｐ９０若しくはエピトープを含む断片、又は該タンパク質を膜表面に発現した細胞を投与することにより産生され、例えばモノクローナル抗体の調製には、連続細胞系の培養物により産生される抗体をもたらす、ハイブリドーマ法（Nature 256, 495-497, 1975）、トリオーマ法、ヒトＢ細胞ハイブリドーマ法（Immunology Today 4, 72, 1983）及びＥＢＶ−ハイブリドーマ法（MONOCLONAL
ANTIBODIES AND CANCER THERAPY, pp.77-96, Alan R.Liss, Inc., 1985）など任意の方法を用いることができる。
【００２１】
前述のＨｓｐ９０に結合するタンパク質としては、Ａｋｔタンパク質、ＨＩＦ−１、ＥｒｂＢ１／ＥＧＦＲ、ＥｒｂＢ２／Ｈｅｒ２、ＢＣＲ−Ａｂｌ、Ｒａｆ１等を例示することができる。また、前述のＨｓｐ９０に結合する核酸（好ましくはＤＮＡ）としては、ＣｐＧ−ＤＮＡ、ヒトのＤＮＡ、細菌・ウイルスのＤＮＡ等を例示することができる。Ｈｓｐ９０に結合するタンパク質は、例えば、公知の配列情報に基づいて目的タンパク質をコードするＤＮＡ配列を単離し、かかるＤＮＡを適当な発現ベクターにインテグレイトし、得られた発現ベクターを適当な細胞に導入し、かかる細胞を培養し、かかる細胞から目的タンパク質を単離することにより、製造することができる。また、Ｈｓｐ９０に結合する核酸は、例えば、公知の配列情報に基づいて目的の核酸を単離するためのプライマーを作製し、かかるプライマーと、ゲノムＤＮＡやｃＤＮＡ等のテンプレートＤＮＡとを用いたＰＣＲにより、製造することができる。
【００２２】
また、ある物質が、Ｈｓｐ９０結合物質であるかどうかは、例えば、固相化したＨｓｐ９０に、標識した物質を接触させた後、洗浄し、前述の標識を検出する方法等により、容易に確認することができる。
【００２３】
本発明におけるＨｓｐ９０除去手段が発揮するＨｓｐ９０除去効果の好適な程度としては、特に制限されないが、Ｈｓｐ９０除去手段により、ＳＬＥ患者の血清からＨｓｐ９０を除去した場合の血清中のＨｓｐ９０濃度が、そのＳＬＥ患者の血清中のＨｓｐ９０濃度に対して、割合として好ましくは１０％以上、より好ましくは２０％以上、さらに好ましくは４０％以上、より好ましくは６０％以上、さらに好ましくは７０％以上低下することを例示することができる。
【００２４】
いずれかの哺乳動物のＨｓｐ９０における「哺乳動物」等の、本明細書における「哺乳動物」としては、特に制限されないが、ヒト、サル、マウス、ラット、ハムスター、モルモット、ウシ、ブタ、ウマ、ウサギ、ヒツジ、ヤギ、ネコ、イヌ等を好適に例示することができ、中でもヒトをより好適に例示することができる。これらの哺乳動物のＨｓｐ９０の配列は、ＧｅｎＢａｎｋ等のデータベースにアクセスすることにより、容易に入手することができる。Ｈｓｐ９０の配列の１例として、ヒトＨｓｐ９０のコード領域のアミノ酸配列を配列番号１に示す。本発明における「哺乳動物のＨｓｐ９０」として、配列番号１のアミノ酸配列と８０％以上、好ましくは８５％以上、より好ましくは９０％以上、さらに好ましくは９５％以上の同一性を有するアミノ酸配列からなり、Ｈｓｐ９０活性を有するタンパク質を好適に例示することができる。
【００２５】
本発明の予防・治療装置が発揮する、ＳＬＥに対する予防・治療効果とは、ＳＬＥに対する予防効果及び／又は治療効果である限り特に制限されないが、中でも、哺乳動物被検体の血液中、血清中又は血漿中におけるインターフェロンα濃度の上昇抑制効果や、低下効果を好適に例示することができ、中でも、かかる低下効果をより好適に例示することができる。
【００２６】
本発明の予防・治療装置が発揮する、インターフェロンα濃度低下効果の好適な程度としては、特に制限されないが、以下のインターフェロンα測定アッセイにおいて、本発明の予防・治療装置でＳＬＥ患者の血清からＨｓｐ９０を除去した血清を添加した場合のインターフェロンα濃度が、同じＳＬＥ患者の血清を添加した場合のインターフェロンα濃度に対して、割合として好ましくは１０％以上、より好ましくは２０％以上、さらに好ましくは３０％以上、より好ましくは４０％以上、さらに好ましくは５０％以上低下することを例示することができる。
［インターフェロンα測定アッセイの方法］
健常人の末梢血から採取したヒト形質細胞様樹状細胞を、ウェルプレートに５×１０４個／ウェルずつ播種した後、ＳＬＥ患者の血清を１００μＬ／ウェルずつ添加し、２４時間培養する。次いで、その培養液から培養上清を調製し、その培養上清中のインターフェロンα濃度を測定する。また、この方法において、「ＳＬＥ患者の血清」に代えて、「このＳＬＥ患者の血清から、本発明の予防・治療装置にてＨｓｐ９０を除去した血清」を用いて得られた培養上清中のインターフェロンα濃度を測定する。
【００２７】
本発明の予防・治療装置におけるＨｓｐ９０除去物質の態様としては、被検体の血液中、血清中又は血漿中のＨｓｐ９０を除去し得る限り特に制限されないが、簡便に使用し得る観点から、Ｈｓｐ９０除去物質が、固相担体に担持されていることが好ましい。固相担体としては、Ｈｓｐ９０除去物質を固定できる固相の担体である限り、材質や形状等、特に制限されないが、材質としては例えば、金、銀、銅、アルミニウム、白金、チタン、ニッケル等の金属；ステンレスやジュラルミンなどの合金；シリコン、ガラス、石英ガラス、セラミクス等のガラス材料；ポリエステル樹脂、ポリスチレン、ポリプロピレン樹脂、ナイロン、エポキシ樹脂、および塩化ビニル樹脂等のプラスチック；アガロース等のゲル；デキストラン、セルロース、ポリビニルアルコール、キトサン等を例示することができ、形状としては例えばビーズ状、粒状、プレート状、膜状等を例示することができる。また、ビーズ状や粒状とした場合は、カラムに充填するなどして、全身性エリテマトーデスの予防・治療用カラムとすることもできる。
【００２８】
Ｈｓｐ９０除去物質を固相担体に担持する場合は、Ｈｓｐ９０除去物質を前述の固相担体に担持させることにより製造することができる。Ｈｓｐ９０除去物質を前述の固相担体に担持させる方法としては、特に制限されず、従来公知の手段、例えば、いわゆる物理的結合（吸着）法や、化学結合法等を用いることができる。例えば、物理的結合法の場合には、Ｈｓｐ９０除去物質を適当な濃度に希釈した水溶液中に固相担体を浸した後、緩衝液で洗浄し、乾燥する方法により、Ｈｓｐ９０除去物質を固相担体に担持させることができる。また、化学的結合法の場合は、例えば、固相担体の表面をビオチンでコーティングし、また、Ｈｓｐ９０除去物質にビオチンを結合させ、これらの両方のビオチンを、アビジンを介して結合させる方法や、固相担体の表面を適当な官能基（例えば、カルボキシル基、アミノ基、又はスルフヒドリル基等）で官能基修飾し、その官能基とＨｓｐ９０除去物質とを架橋剤（例えば、カルボジイミド又はＮ−ヒドロキシスクシンイミド等）を介して結合させる方法などにより、Ｈｓｐ９０除去物質を固相担体に担持させることができる。
【００２９】
本発明の予防・治療装置は、Ｈｓｐ９０除去手段以外に、「血液等をＨｓｐ９０除去手段と接触させる手段」及び／又は「血液等をＨｓｐ９０除去手段から分離させる手段」をさらに備えている装置であることが好ましく、「被検体の血管から血液等を導出する手段」及び／又は「分離させた後の血液等を被検体の血管へ導入する手段」をさらに備えている装置であることをより好適に例示することができる。これらの手段をさらに備えていると、Ｈｓｐ９０の除去をより簡便且つ迅速に行うことが可能となる。なお、本発明の予防・治療装置には、Ｈｓｐ９０除去手段以外にも、血液等から除去することによってＳＬＥの予防・治療効果が得られる物質を除去するための手段をさらに含有していてもよい。
【００３０】
本発明の予防・治療装置の製造方法としては、Ｈｓｐ９０除去効果を発揮しうるように、Ｈｓｐ９０除去手段を装置に備える方法である限り、特に制限されず、例えば、Ｈｓｐ９０除去手段を支持部材に保持させる方法を例示することができる。また、本発明の予防・治療装置が、Ｈｓｐ９０除去手段以外にも前述の手段の一部又は全部を備えている場合も、それらの手段を支持部材に保持させるなどして製造することができる。なお、Ｈｓｐ９０除去手段以外にも前述の手段の一部又は全部を備えている場合には、被検体の血液等が、「被検体の血管から血液等を導出する手段」、「血液等をＨｓｐ９０除去手段と接触させる手段」、「Ｈｓｐ９０除去手段」、「血液等をＨｓｐ９０除去手段から分離させる手段」、「分離させた後の血液等を被検体の血管へ導入する手段」の順で各手段を経るように、各手段を支持部材に保持させることが好ましい。
【００３１】
前述の「被検体の血管から血液等を導出する手段」や、「分離させた後の血液等を被検体の血管へ導入する手段」としては、針やカニューレを備えた手段を好適に例示することができ、前述の「血液等をＨｓｐ９０除去手段と接触させる手段」としては、導出した血液等を「Ｈｓｐ９０除去手段」まで移送するポンプ等を好適に例示することができ、前述の「血液等をＨｓｐ９０除去手段から分離させる手段」としては、血液等を吸引してＨｓｐ９０除去手段から分離するポンプや、遠心分離機等を好適に例示することができる。
【００３２】
本発明の予防・治療装置の使用方法としては、以下の工程Ａ〜Ｃを含む方法である限り特に制限されない。
工程Ａ；被検体の血管内から取り出した血液、血清又は血漿（以下、まとめて「血液等」とも表示する。）に、本発明の予防・治療装置におけるＨｓｐ９０除去手段を接触させる工程；
工程Ｂ；本発明の予防・治療装置におけるＨｓｐ９０除去手段と、血液、血清又は血漿とを分離させる工程；
工程Ｃ；分離した血液、血清又は血漿を、被検体の血管内に戻す工程；
【００３３】
かかる方法を行うことによって、被検体の血液中、血清中又は血漿中のＨｓｐ９０濃度を低下させ、それにより、被検体の形質細胞様樹状細胞のインターフェロンα産生の抑制を介して、ＳＬＥに対する予防及び／又は治療効果が発揮されるものと考えられる。
【００３４】
上記工程Ａにおける被検体の血管としては、被検体の動脈の血管を好適に例示することができる。また、上記工程Ａにおける血清は、被検体から取り出した血液を放置すること等によって、血清と血餅に分離させ、血餅を除去することによって得ることができ、上記工程Ａにおける血漿は、被検体から取り出した血液に抗凝固剤を添加した後、遠心分離することによって細胞成分を沈降させた上澄みとして得ることができる。また、上記工程Ａにおいて、被検体の血管内から血液等を取り出す方法としては、特に制限されず、注射器を用いる方法や、被検体の血管にカニューレを挿入する方法を好適に例示することができる。さらに、上記工程Ａにおいて、血液等を、Ｈｓｐ９０除去手段に接触させる方法としては、特に制限されないが、血液等とＨｓｐ９０除去手段とを混合する方法を好適に例示することができる。
【００３５】
上記工程Ｂにおいて、Ｈｓｐ９０除去手段と、血液等とを分離させる方法としては、特に制限されず、血液等からＨｓｐ９０除去手段を単に取り出す方法でもよいし、遠心分離を用いてＨｓｐ９０除去手段と血液等とを分離する方法でもよい。
【００３６】
上記工程Ｃにおける被検体の血管としては、被検体の静脈の血管を好適に例示することができる。また、かかる工程において、分離した血液等を、被検体の血管内に戻す方法としては、特に制限されず、注射器を用いる方法や、被検体の血管にカニューレを挿入する方法を好適に例示することができる。
【００３７】
本発明の予防・治療装置の使用頻度としては、特に制限されないが、例えば、１週間に１回（好ましくは２回以上、さらに好ましくは３回以上、より好ましくは５回以上）の使用を、２週間以上（好ましくは３週間以上、より好ましくは６週間以上５年間以下、さらに好ましくは３ヶ月間以上５年間以下）継続することを好適に例示することができる。このように複数回使用すると、ＳＬＥの発症前の段階では、ＳＬＥの発症をより効果的に抑制又は遅延させることができ、また、ＳＬＥの発症後の段階では、ＳＬＥによる炎症の悪循環を絶つことができ、ＳＬＥに対するより優れた治療効果を発揮するものと考えられる。なお、本発明の予防・治療装置は、血液等から除去することによってＳＬＥの予防・治療効果が得られるＨｓｐ９０以外の物質Ｘの除去手段と共に使用してもよいし、かかる物質Ｘの除去手段を使用する前又は後に使用してもよい。
【００３８】
本発明の予防・治療装置が予防・治療する対象となる疾患としては、ＳＬＥを特に好適に例示することができるが、ＳＬＥに類似した疾患である、自己免疫性肝炎（ＡＩＨ）や原発性胆汁性肝硬変（ＰＢＣ）に対しても、予防・治療効果を発揮する可能性もある。本発明の予防・治療装置が予防・治療する対象被検体の生物種としては、哺乳動物を例示することができる。
【００３９】
２．全身性エリテマトーデスのバイオマーカーとして使用する方法
本発明の全身性エリテマトーデスのバイオマーカーとして使用する方法（以下、単に「本発明の使用方法」とも表示する。）としては、血液中、血清中又は血漿中（以下、単に「血液中等」とも表示する。）のＨｓｐ９０（好適にはＨｓｐ９０濃度）を、全身性エリテマトーデスのバイオマーカーとして使用する方法である限り特に制限されず、具体的には、後述の本発明の全身性エリテマトーデスの判定方法を好適に例示することができる。本発明の使用方法におけるＨｓｐ９０としては、前述したような、いずれかの哺乳動物のＨｓｐ９０であればよく、中でも、いずれかの哺乳動物の内因性Ｈｓｐ９０を好適に例示することができる。
【００４０】
３．全身性エリテマトーデスの判定方法
本発明の全身性エリテマトーデスの判定方法（以下、単に「本発明の判定方法」とも表示する。）としては、（Ａ）被検体の血液中、血清中又は血漿中のＨｓｐ９０濃度をインビトロで測定する工程；及び、（Ｂ）前記工程（Ａ）で測定したＨｓｐ９０濃度を、正常対照の血液中、血清中又は血漿中のＨｓｐ９０濃度と比較・評価する工程；を備えている限り特に制限されないが、さらに、（Ｃ）前記工程（Ａ）で測定したＨｓｐ９０濃度が、正常対照の血液中、血清中又は血漿中のＨｓｐ９０濃度よりも高い場合に、前記被検体を全身性エリテマトーデスと評価する工程；又は、（Ｄ）前記工程（Ａ）で測定したＨｓｐ９０濃度が、正常対照の血液中、血清中又は血漿中のＨｓｐ９０濃度よりも高い程度を、前記被検体の全身性エリテマトーデスの病状の重さの程度と評価する工程；を備えている方法を好適に例示することができる。なお、上記工程（Ａ）において血液中のＨｓｐ９０濃度を測定した場合は、上記工程（Ｂ）において、正常対照の血液中のＨｓｐ９０濃度を用い、上記工程（Ａ）において血清中のＨｓｐ９０濃度を測定した場合は、上記工程（Ｂ）において、正常対照の血清中のＨｓｐ９０濃度を用い、上記工程（Ａ）において血漿中のＨｓｐ９０濃度を測定した場合は、上記工程（Ｂ）において、正常対照の血漿中のＨｓｐ９０濃度を用いる。
【００４１】
上記工程（Ａ）におけるＨｓｐ９０濃度をインビトロで測定する方法としては、血液中等のＨｓｐ９０濃度をインビトロで測定し得る方法である限り特に制限されず、例えば、Hsp90α, ELISA kit（StressGen社製）等の抗Ｈｓｐ９０抗体を利用して測定する方法を例示することができる。また、上記工程（Ｂ）における「正常対照の血液中、血清中又は血漿中のＨｓｐ９０濃度」は、被検体の血液中等におけるＨｓｐ９０濃度を測定する際に、測定してもよいし、あらかじめ測定しておき、その数値を利用してもよい。上記工程（Ｂ）における比較・評価の方法としては、特に制限されないが、前記工程Ａで測定したＨｓｐ９０濃度が、正常対照の血液中、血清中又は血漿中のＨｓｐ９０濃度よりも高い場合に、前記被検体を全身性エリテマトーデスと評価する方法（すなわち工程（Ｃ））や、前記工程Ａで測定したＨｓｐ９０濃度が、正常対照の血液中、血清中又は血漿中のＨｓｐ９０濃度よりも高い程度を、前記被検体の全身性エリテマトーデスの病状の重さの程度と評価する方法（すなわち工程（Ｄ））を好適に例示することができる。
【００４２】
上記工程（Ｃ）において全身性エリテマトーデスと評価する場合の、前記工程（Ａ）で測定したＨｓｐ９０濃度の高さの好適な程度としては、特に制限されないが、前記工程（Ａ）で測定したＨｓｐ９０濃度が、正常対照の血液中、血清中又は血漿中のＨｓｐ９０濃度に対して、好ましくは２倍以上、より好ましくは４倍以上、さらに好ましくは６倍以上、より好ましくは８倍以上、さらに好ましくは１０倍以上、より好ましくは１２倍以上であることを好適に例示することができる。
【００４３】
また、上記工程（Ｄ）における「全身性エリテマトーデスの病状」としては、血液中等のインターフェロンα濃度の上昇に起因する症状を好適に例示することができる。
【００４４】
前述のように、本発明の判定方法は、被検体がＳＬＥであるかどうか、あるいは、被検体のＳＬＥの病状の重さを判定（判断）することができる。本発明の判定方法は、この他にも、被検体がＳＬＥを有している可能性を判定（判断）することもできる。この場合は、前述の工程（Ｃ）に代えて、（Ｃ’）前記工程（Ａ）で測定したＨｓｐ９０濃度が、正常対照の血液中、血清中又は血漿中のＨｓｐ９０濃度よりも高い程度を、前記被検体が全身性エリテマトーデスを有する可能性の程度と評価する工程；を用いることとなる。
【００４５】
なお、本発明の他の態様として、本発明の全身性エリテマトーデスの予防・治療装置の製造における、Ｈｓｐ９０除去物質の使用や、Ｈｓｐ９０除去物質を、全身性エリテマトーデスの予防・治療装置として使用する方法や、全身性エリテマトーデスの予防・治療における、Ｈｓｐ９０除去物質の使用や、被検体の血管内から取り出した血液等に、Ｈｓｐ９０除去物質を接触させる工程Ａ、Ｈｓｐ９０除去物質と、血液等とを分離させる工程Ｂ、及び、分離した血液等を、被検体の血管内に戻す工程Ｃを含む、全身性エリテマトーデスの予防・治療方法も例示することができる。これらの使用や方法における文言の内容やその好ましい態様は、前述したとおりである。
【００４６】
以下に実施例により本発明をより詳細に説明するが，本発明はこれらの実施例により限定されるものではない。
【実施例１】
【００４７】
［ＳＬＥ患者の血清中のＨｓｐ９０濃度の測定］
ＳＬＥ患者の血清中のＨｓｐ９０濃度が、正常人のそれと異なるかどうか、及び、ＳＬＥ患者の前記濃度が、症状増悪期と治療後寛解期で変化するかどうかを調べるために、以下のようなＨｓｐ９０測定アッセイを試みた。【００４８】
札幌医科大学医学部の倫理委員会の承認のもと、札幌医科大学附属病院を受信した患者を２名選定し、サンプル提供の依頼対象者とした。また、健常人を１名選定し、正常なサンプル提供の依頼対象者とした。その上で、これら３名の対象者からインフォームド・コンセントを得た後、各対象者から血清サンプルを採取した。なお、ＳＬＥ患者については、症状増悪期だけでなく、治療後の寛解期にも血清サンプルを採取した。【００４９】
２名のＳＬＥ患者（ＳＬＥ患者１、ＳＬＥ患者２）から採取した４種類の血清サンプルと、健常人から採取した１種類の血清サンプルの計５種類の血清サンプル中のＨｓｐ９０量を、Hsp90α, ELISA kit（StressGen社製）で測定した。この測定値から、各血清サンプル中のＨｓｐ９０濃度（ｐｇ／ｍＬ）を産出した結果を図１に示す。【００５０】
図１から分かるように、ＳＬＥ患者１（“SLE patient 1”）、ＳＬＥ患者２（“SLE patient 2”）のいずれの場合も、症状増悪期（“before
treatment”）では、血清サンプル中のＨｓｐ９０濃度が非常に高かったが、治療後寛解期（“after
treatment”）では、そのＨｓｐ９０濃度が健常人（“healthy donor”）と同程度にまで低下した。
【実施例２】
【００５１】
さらに健常者の数、及び患者の数を増やし（健常者６名、患者８名）、実施例１と同じくＨｓｐ９０測定アッセイを行った結果を図２に示す。実施例１と同じく、やはり症状増悪期では血清中のＨｓｐ９０濃度が高くなり、健常人や治療後寛解期とは有意な差が認められた（Ｐ＜０．０１）。このことから、血清中のＨｓｐ９０濃度は、ＳＬＥの活動性と相関することが示された。したがって、血清中のＨｓｐ９０濃度は、ＳＬＥの病状の指標や、ＳＬＥの診断に非常に有用であると考えられる。なお、ＳＬＥ患者の血液中でＨｓｐ９０の濃度が上昇していることは、本発明者らが今回初めて見いだした知見である。Ｈｓｐ９０は分泌タンパク質ではないため、血液中でこれほどまでに濃度が上昇し得ることは予想外であった。  
【実施例３】
【００５２】
［ヒト形質細胞様樹状細胞を用いた、インターフェロンα測定アッセイ］
血清中のインターフェロンα高値は、ＳＬＥの病態増悪の要因の一つと考えられている。また、本発明者らは、これまでに、Ｈｓｐ９０阻害物質が、マウスやヒト由来の形質細胞様樹状細胞からのインターフェロンα産生を阻害し得ることや、全身性エリテマトーデス（ＳＬＥ）のモデルマウスの病態を改善し得ること等を明らかにしている（特願２０１０−２１９４２２号）。そこで、ＳＬＥ患者の血清からＨｓｐ９０を除去することによって、そのヒト形質細胞様樹状細胞からのインターフェロンα産生がどのような影響を受けるか調べるために、以下のような、インビトロのインターフェロンα測定アッセイを試みた。【００５３】
前述の健常人から末梢血を採取し、ヒト形質細胞様樹状細胞分離キット（Miltenyi Biotec社製）を用いて、前述の末梢血からヒト形質細胞様樹状細胞を精製した。９６ウェルプレートに、ヒト形質細胞様樹状細胞を５×１０４個／ウェルずつ播種した後、前述の実施例１のＳＬＥ患者の血清を１００μＬ／ウェルずつ添加し、２４時間培養した。次いで、その培養液から培養上清を調製し、その培養上清中のインターフェロンα濃度をＥＬＩＳＡ法にて測定した。また、前述のＳＬＥ患者の血清に代えて、かかるＳＬＥ患者の血清からＨｓｐ９０を除去した血清を添加したこと以外は、同じ方法で、培養上清中のインターフェロンα濃度を測定した。さらに、前述のいずれの血清も添加しなかったこと以外は、同じ方法で、培養上清中のインターフェロンα濃度を測定した。なお、血清からのＨｓｐ９０の除去は、抗Ｈｓｐ９０抗体のＦｃ部位を結合させたプロテインＧビーズを利用して行った。具体的には、かかるビーズと血清をよく混合して、ビーズ上の抗Ｈｓｐ９０抗体と、血清中のＨｓｐ９０を結合させた後、ビーズを回収することにより、血清からＨｓｐ９０を除去した。前述の各方法で、培養上清中のインターフェロンα濃度を測定した結果を図３に示す。【００５４】
図３から分かるように、血清を添加しなかった場合（“control”）は、インターフェロンα濃度はきわめて低く、また、ＳＬＥ患者の血清を添加した場合（“stimulated with SLE patient serum”）は、インターフェロンα濃度が顕著に高まったが、このＳＬＥ患者の血清からＨｓｐ９０を除去した血清を添加した場合（“stimulated with SLE patient serum removed HSP90”）は、ＳＬＥ患者の血清を添加した場合と比較して、インターフェロンα濃度が約５０％程度にまで顕著に低下した。この結果は、ＳＬＥ患者の血清中に、ヒト形質細胞様樹状細胞のインターフェロンα産生を促進する分子が含まれていることを示している。ヒト形質細胞様樹状細胞のインターフェロンα産生を刺激する分子はヒトＤＮＡやヒトＲＮＡであること、及び、ＳＬＥ患者では、高率に抗ＤＮＡ抗体が検出されることがこれまでに報告されていることから、本発明者らは、抗ＤＮＡ抗体−自己ＤＮＡ複合体やＨｓｐ９０−自己ＤＮＡ複合体が、ヒト形質細胞様樹状細胞のインターフェロンα産生を促進すると考えている。実際、ＳＬＥ患者の血清中からＨｓｐ９０を除去すると、ヒト形質細胞様樹状細胞のインターフェロンα産生は約５０％程度にまで低下した。すなわち、ＳＬＥ患者の血清中に多量のＨｓｐ９０が検出されることは、本願実施例１の実験により初めて見いだした知見であるが、我々がすでに報告しているように (Okuya,Tamura, J. Immunology, June 2010; 184: 7092 - 7099) 、このＨｓｐ９０は自己のＤＮＡと複合体（Ｈｓｐ９０−自己ＤＮＡ複合体）を形成することで、自己ＤＮＡの分解を抑制し、かつ、自己ＤＮＡをヒト形質細胞様樹状細胞に効率よく取り込ませ、その自己ＤＮＡを形質細胞様樹状細胞の初期エンドソームに局在させることで、ヒト形質細胞様樹状細胞のインターフェロンα産生を促進するものと考えられた。また、今回のインターフェロンα測定アッセイの結果から、ＳＬＥ患者の血清中や血液中等のＨｓｐ９０を除去することによって、ＳＬＥを治療し得ることが示された。
【実施例４】
【００５５】
［ＳＬＥ発症モデルマウスの血清中Ｈｓｐ９０濃度測定］
ＳＬＥ発症モデル動物においてもヒトと同様にＨｓｐ９０の血清中濃度が上昇するかを調べるために、以下のような測定を行った。【００５６】
まず、ＳＬＥ発症モデルマウスであるＭＲＬ／ｌｐｒマウス（Ｊａｃｋｓｏｎ  Ｌａｂｏｒａｔｏｒｙ社製）を用意し、ＳＬＥを発症する前（２１週齢）、ＳＬＥが発症し始めるとき（２８週齢）及びＳＬＥが発症したあと（３７週齢）の血清中のＨｓｐ９０の濃度を実施例１と同じくHsp90α, ELISA kit（StressGen社製）を用いて測定した。その結果を図４に示す。【００５７】
図４から分かるように、発症前及び発症初期（Ｐ＜０．０５）、発症初期及び発症後期（Ｐ＜０．０１）の間において、Ｈｓｐ９０の血清中濃度について統計的に有意な差が認められた。このことから、ヒトの場合と同様、モデル動物においてもＳＬＥの発症とともに血清中のＨｓｐ濃度が上昇することが確かめられた。
【産業上の利用可能性】
【００５８】
本発明は、全身性エリテマトーデスの予防・治療の分野や、全身性エリテマトーデスのバイオマーカーの分野や、全身性エリテマトーデスの判定の分野に好適に用いることができる。
【図１】
2012077774.tif 000003
【図２】
2012077774.tif 000004
【図３】
2012077774.tif 000005
【図４】
2012077774.tif 000006
【配列表】
2012077774000001.app
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
Ｈｓｐ９０の除去手段を備えたことを特徴とする全身性エリテマトーデスの予防・治療装置。
【請求項２】
Ｈｓｐ９０の除去手段が、Ｈｓｐ９０の除去物質を含むことを特徴とする請求項１に記載の予防・治療装置。
【請求項３】
Ｈｓｐ９０の除去物質が、固相担体に担持されていることを特徴とする請求項１又は２に記載の予防・治療装置。
【請求項４】
血液中、血清中又は血漿中のＨｓｐ９０濃度を測定することを含む、全身性エリテマトーデスの判定用データを取得する方法。
【請求項５】
以下の（Ａ）及び（Ｂ）の工程を備えることを特徴とする全身性エリテマトーデスの判定用データを取得する方法；
（Ａ）被検体の血液中、血清中又は血漿中のＨｓｐ９０濃度をインビトロで測定する工程；
（Ｂ）前記工程（Ａ）で測定したＨｓｐ９０濃度を、正常対照の血液中、血清中又は血漿中のＨｓｐ９０濃度と比較する工程；
【請求項６】
工程（Ａ）で測定したＨｓｐ９０濃度が、正常対照の血液中、血清中又は血漿中のＨｓｐ９０濃度よりも高い程度が、以下の（Ｃ）又は（Ｄ）を示すことを特徴とする請求項５に記載の方法；
（Ｃ）前記被検体が全身性エリテマトーデスを有する可能性の程度；
（Ｄ）前記被検体の全身性エリテマトーデスの病状の重さの程度；
【国際調査報告】
2012077774.tif 000007
2012077774.tif 000008
2012077774.tif 000009
2012077774.tif 000010
2012077774.tif 000011
2012077774.tif 000012
2012077774.tif 000013